(57)【特許請求の範囲】
【請求項１】
遊技機側から出力される遊技情報を特定可能な遊技信号により遊技情報を特定する遊技情報特定手段と、
遊技機側から出力される異常状態を特定可能な遊技信号により異常状態を特定し、その報知を行う異常報知処理を行う異常報知手段と、
予め設定される開店処理条件が成立してから予め設定される閉店処理条件が成立するまでの期間である蓄積対象期間において前記遊技情報特定手段により特定された遊技情報を蓄積する遊技情報蓄積手段と、
予め設定される抑制移行条件の成立に応じて前記異常報知処理を抑制する状態である報知抑制状態へと移行する抑制手段と、
前記閉店処理条件が成立するか否かに関わらず前記抑制移行条件が成立するように当該抑制移行条件を設定可能な設定手段と、を備え、
前記設定手段は、前記抑制移行条件を、前記閉店処理条件の成立に応じて成立する条件とするか、前記閉店処理条件が成立するか否かに関わらず成立する条件とするかを設定可能であることを特徴とする遊技場用システム。
【請求項２】
遊技機側から出力される遊技情報を特定可能な遊技信号により遊技情報を特定する遊技情報特定手段と、
遊技機側から出力される異常状態を特定可能な遊技信号により異常状態を特定し、その報知を行う異常報知処理を行う異常報知手段と、
予め設定される開店処理条件が成立してから予め設定される閉店処理条件が成立するまでの期間である蓄積対象期間において前記遊技情報特定手段により特定された遊技情報を蓄積する遊技情報蓄積手段と、
予め設定される抑制移行条件の成立に応じて前記異常報知処理を抑制する状態である報知抑制状態へと移行する抑制手段と、
前記閉店処理条件が成立するか否かに関わらず前記抑制移行条件が成立するように当該抑制移行条件を設定可能な設定手段と、を備え、
前記設定手段は、前記開店処理条件が成立するか否かに関わらず成立する前記報知抑制状態を解除する抑制解除条件を設定可能であり、
前記抑制手段は、前記閉店処理条件が成立しないまま前記抑制移行条件が成立した場合に、前記報知抑制状態へと移行する一方、当該報知抑制状態にて前記抑制解除条件が成立した場合に、当該報知抑制状態を解除することを特徴とする遊技場用システム。
【請求項３】
前記遊技情報蓄積手段は、前記開店処理条件が成立した営業日である開始営業日に前記閉店処理条件が成立せず、その翌営業日に前記閉店処理条件が成立した場合に、当該開始営業日における開店処理条件が成立してから当該翌営業日において前記閉店処理条件が成立するまでの期間を前記蓄積対象期間として蓄積した遊技情報を、１営業日の遊技情報として管理可能であり、
前記設定手段は、前記抑制移行条件と前記抑制解除条件とを営業日単位で設定可能とすることを特徴とする請求項２に記載した遊技場用システム。
【請求項４】
前記抑制解除条件は、前記開店処理条件の成立に応じて成立する第１抑制解除条件と、前記開店処理条件が成立するか否かに関わらず成立する第２抑制解除条件とを含み、
前記抑制手段は、前記報知抑制状態である場合に、前記蓄積対象期間中でなければ前記第１抑制解除条件の成立に応じて前記報知抑制状態を解除する一方、前記第２抑制解除条件が成立しても前記報知抑制状態を解除せず、前記蓄積対象期間中であれば前記第２抑制解除条件の成立に応じて前記報知抑制状態を解除することを特徴とする請求項２又は３に記載した遊技場用システム。
【発明の詳細な説明】
【技術分野】
【０００１】
本発明は、遊技機側から出力される遊技信号により特定される遊技情報を管理する遊技場で用いられる遊技場用システムに関する。
【背景技術】
【０００２】
遊技場では遊技機等から出力される遊技信号により特定される遊技情報を管理している。この場合、例えば特許文献１のように閉店操作等を行うことで遊技情報を区切るようにしている。
【先行技術文献】
【特許文献】
【０００３】
【特許文献１】特開２０００−１５３０５２号公報
【発明の概要】
【発明が解決しようとする課題】
【０００４】
さて、遊技場の中には遊技機側からのアウト信号等により特定される所謂理論持玉と、計数機にて計数した所謂実持玉との差を示す所謂誤差玉が遊技場の閉店後に発覚した場合、その誤差玉の要因を追及し、その誤差玉がなくなるように、例えば玉の詰まり等の要因を解消して遊技情報を修正するような処理（以下、情報修正処理）を行う遊技場もある。そして、この情報修正処理を行っている間であっても、翌営業日のために遊技機の整備等を行うために遊技機のガラス扉等を開放しているが、この場合、上記情報修正処理により閉店処理を行わないため、システム側では営業中と認識しており、そのガラス扉等の開放に応じて営業中と同様に異常検出の報知を行ってしまい、その報知が遊技機の整備等のために乱発することから鬱陶しく感じる場合があった。
【０００５】
本発明は、上記した事情に鑑みてなされたものであり、その目的は、遊技場の閉店後において特別な処理を行う場合に、異常検出を適切に抑制することができる遊技場用システムを提供することにある。
【課題を解決するための手段】
【０００６】
請求項１に記載した発明は、遊技機側から出力される遊技情報を特定可能な遊技信号により遊技情報を特定する遊技情報特定手段と、遊技機側から出力される異常状態を特定可能な遊技信号により異常状態を特定し、その報知を行う異常報知処理を行う異常報知手段と、予め設定される開店処理条件が成立してから予め設定される閉店処理条件が成立するまでの期間である蓄積対象期間において前記遊技情報特定手段により特定された遊技情報を蓄積する遊技情報蓄積手段と、予め設定される抑制移行条件の成立に応じて前記異常報知処理を抑制する状態である報知抑制状態へと移行する抑制手段と、前記閉店処理条件が成立するか否かに関わらず前記抑制移行条件が成立するように当該抑制移行条件を設定可能な設定手段と、を備え、前記設定手段は、前記抑制移行条件を、前記閉店処理条件の成立に応じて成立する条件とするか、前記閉店処理条件が成立するか否かに関わらず成立する条件とするかを設定可能であることを特徴とする。
【０００８】
請求項２に記載した発明は、遊技機側から出力される遊技情報を特定可能な遊技信号により遊技情報を特定する遊技情報特定手段と、遊技機側から出力される異常状態を特定可能な遊技信号により異常状態を特定し、その報知を行う異常報知処理を行う異常報知手段と、予め設定される開店処理条件が成立してから予め設定される閉店処理条件が成立するまでの期間である蓄積対象期間において前記遊技情報特定手段により特定された遊技情報を蓄積する遊技情報蓄積手段と、予め設定される抑制移行条件の成立に応じて前記異常報知処理を抑制する状態である報知抑制状態へと移行する抑制手段と、前記閉店処理条件が成立するか否かに関わらず前記抑制移行条件が成立するように当該抑制移行条件を設定可能な設定手段と、を備え、前記設定手段は、前記開店処理条件が成立するか否かに関わらず成立する前記報知抑制状態を解除する抑制解除条件を設定可能であり、前記抑制手段は、前記閉店処理条件が成立しないまま前記抑制移行条件が成立した場合に、前記報知抑制状態へと移行する一方、当該報知抑制状態にて前記抑制解除条件が成立した場合に、当該報知抑制状態を解除することを特徴とする。
【０００９】
請求項３に記載した発明は、前記遊技情報蓄積手段は、前記開店処理条件が成立した営業日である開始営業日に前記閉店処理条件が成立せず、その翌営業日に前記閉店処理条件が成立した場合に、当該開始営業日における開店処理条件が成立してから当該翌営業日において前記閉店処理条件が成立するまでの期間を前記蓄積対象期間として蓄積した遊技情報を、１営業日の遊技情報として管理可能であり、前記設定手段は、前記抑制移行条件と前記抑制解除条件とを営業日単位で設定可能とすることを特徴とする。
【００１０】
請求項４に記載した発明は、前記抑制解除条件は、前記開店処理条件の成立に応じて成立する第１抑制解除条件と、前記開店処理条件が成立するか否かに関わらず成立する第２抑制解除条件とを含み、前記抑制手段は、前記報知抑制状態である場合に、前記蓄積対象期間中でなければ前記第１抑制解除条件の成立に応じて前記報知抑制状態を解除する一方、前記第２抑制解除条件が成立しても前記報知抑制状態を解除せず、前記蓄積対象期間中であれば前記第２抑制解除条件の成立に応じて前記報知抑制状態を解除することを特徴とする。
【発明の効果】
【００１１】
請求項１に記載した発明によれば、閉店処理条件が成立するか否かに関わらず抑制移行条件が成立するように抑制移行条件を設定可能であるようにしたので、例えば所謂誤差玉がなくなるように玉の詰まり等の要因を解消して遊技情報を修正するような情報修正処理を行う場合であっても無暗な異常報知が行われる虞を軽減することができる。
【００１２】
又、遊技場の中には上記した情報修正処理を行わない遊技場もあり、そのような遊技場の場合は閉店処理条件とは別途抑制移行条件を管理することを鬱陶しく感じる虞や、条件の設定し忘れ等により何らかの支障が生ずる虞もあるが、従来同様に、抑制移行条件を、閉店処理条件の成立に応じて成立する条件へと設定可能とすることで、その虞を軽減することができ、遊技場のニーズに応じた遊技場用システムを提供可能となる。
【００１３】
請求項２に記載した発明によれば、遊技場の中には複数日に跨って継続して営業する特別営業を行う遊技場もあり、この場合、複数日に跨って営業が継続することから特別営業における１日日には閉店処理条件が成立せず、その２日目には開店処理条件が成立しないことになるが、開店処理条件が成立するか否かに関わらず報知抑制条件を解除することで、特別営業を行う場合であっても必要最小限の期間を報知抑制状態として異常報知処理を再開可能となる。
【００１４】
請求項３に記載した発明によれば、上記した特別営業を行う場合であっても、複数日分の遊技情報を１営業日の遊技情報として管理することができると共に、このような特別営業に対して通常営業と同様に営業日単位で抑制移行条件と抑制解除条件とを設定したとしても適切に対応可能となる。
【００１５】
請求項４に記載した発明によれば、第２抑制解除条件が成立した場合に、蓄積対象期間中であるか否かにより報知抑制状態を解除するか否かを特定し、蓄積対象期間中でなければ第１抑制解除条件の成立に応じて報知抑制状態を解除することで、上記した特別営業に適切に対応可能になる。又、それ以外の通常営業においても、開店処理条件の成立に応じて報知抑制状態を解除しつつ、例えば遊技場の休日等に開店処理条件は成立しないが、報知抑制解除条件が成立する場合であっても報知抑制状態が解除する虞を軽減することができる。
【図面の簡単な説明】
【００１６】
【図１】本発明の一実施形態を示す全体構成図
【図２】開閉店設定を示す図
【図３】遊技情報集計例を示す図
【図４】中継装置処理を示すフローチャート
【発明を実施するための形態】
【００１７】
以下、本発明の一実施形態について図面を参照して説明する。
図１は、遊技場用システムの全体構成を示す概略図である。遊技場内には多数の遊技機１が設置されており、各遊技機１に対応して遊技装置２及び情報表示装置３が設置されている。遊技機１、遊技装置２及び情報表示装置３（異常報知手段、抑制手段に相当）は、中継装置４と接続されている。中継装置４は、ＬＡＮ５を介して管理装置６（遊技情報特定手段、異常報知手段、遊技情報蓄積手段、抑制手段、設定手段に相当）と接続されている。
【００１８】
遊技場にはＰＯＳ７や残高精算機（図示せず）も設置されており、ＰＯＳ７及び残高精算機もＬＡＮ５を介して管理装置６と接続されている。ＰＯＳ７は、カードリーダ（図示せず）を付属しており、一般カード（以下、単にカードと称する）をカードリーダにより受け付けると、その受け付けたカードに記録されている持玉（遊技者が遊技により獲得した遊技価値である獲得価値）について景品交換が可能であるか否かを判定したり景品交換に関わる情報を記憶したりする等の景品交換処理を行う。ＰＯＳ７は、カードに記録されている獲得価値の大きさを取り扱うときは、管理装置６がカードに対応して予め記憶している獲得価値の大きさと照合した上で獲得価値の取り扱いを有効とし、その有効とした獲得価値の範囲内での景品交換を許容する。
【００１９】
残高精算機は、カードリーダ（図示せず）を付属しており、カードをカードリーダにより受け付けると、その受け付けたカードに記録されている残高（遊技者が所有する貨幣価値）について精算が可能であるか否かを判定したり精算に関わる情報を記憶したりする等の精算処理を行う。残高精算機は、カードに記録されている貨幣価値の大きさを取り扱うときは、管理装置６がカードに対応して予め記憶している貨幣価値の大きさと照合した上で貨幣価値の取り扱いを有効とし、その有効とした貨幣価値の範囲内での精算を許容する。
【００２０】
更に、遊技場には島端計数機８も設置されており、島端計数機８もＬＡＮ５を介して管理装置６と接続されている。島端計数機８は、遊技者が遊技により獲得した玉（獲得価値）が投入されることで、その投入された玉を計数し、その計数値を記録したカード８を発行すると共に、計数値、カード８を発行した時刻、発行したカードを特定可能なカードＩＤ等を含む情報を管理装置６に送信する。島端計数機８から発行されたカード８が遊技装置２に受け付けられることで、その遊技装置２にて持玉を払い戻す再プレイ処理が可能となる。
【００２１】
管理装置６は、遊技場内の例えば事務室等に設置されており、遊技場の管理者が操作するキーボード９、モニタ１０、プリンタ（図示せず）等が接続されている。管理装置６は、遊技機側（遊技機１、遊技装置２等）から送信される遊技信号を受信することにより、遊技機１、遊技装置２等の稼動状況を管理すると共に、遊技者毎の獲得価値の大きさ（持玉、会員の場合には貯玉）を記憶管理する。尚、図１では図示を省略したが、実際には例えば数百台の遊技機１が管理装置６の管理対象となっている。又、遊技場には、貸単価や交換単価等のレートが異なる複数の遊技機島として、例えば貸単価が４円のパチンコ（４パチ）、貸単価が１円のパチンコ（１パチ）、貸単価が２０円のパチスロ（スロットマシン）（２０スロ）、貸単価が５円のパチスロ（５スロ）等の遊技機島が設置されている。
【００２２】
遊技機１は、ＣＲパチンコ機であり、盤面１１に玉を発射する発射装置を構成する操作ハンドル１２、上部受皿１３、下部受皿１４を有すると共に、盤面１１に、液晶表示部１５、普図入賞口１６、第１始動口１７、第２始動口１８、大入賞口１９等を有する。
【００２３】
遊技機１は、以下に示すように動作する。
（１）第１始動口１７は入賞率が変動しない入賞口（所謂ヘソ入賞口）であり、第２始動口１８は入賞率が変動する入賞口（所謂電チュー）である。各始動口１７、１８への入賞（始動入賞）に応じて大当り抽選を行い、抽選結果を液晶表示部１５にて行う図柄変動にて報知し、その変動結果に応じて大当りとなる。
（２）図柄変動中に始動入賞した場合には所定の保留上限値（例えば各４つ）まで図柄変動を累積的に保留し、図柄変動終了後に保留している図柄変動を開始する。尚、保留している図柄変動数（保留数）が上限値である状態で始動入賞した場合、図柄変動は保留されない。
（３）大当り抽選の当選確率（大当り確率）は１／３６０であり、大当りがその後確変状態（確変）となる大当り（確変大当り）となる割合である確変率は（通常状態、確変状態共に）６６．６％である。大当りが発生すると１５ラウンド（Ｒ）分だけ大入賞口１９を開放する。１Ｒの上限入賞数は１０玉、上限開放時間は３０秒であり、上限入賞数又は上限開放時間の何れかが満たされた場合に１Ｒを終了する。
【００２４】
（４）確変中は大当り確率が１／３１に向上すると共に、第２始動口１８への入賞率が高くなる時短状態（時短）になる。尚、確変は次回大当りまで継続するので、大当り後に大当りでも確変でもない状態である通常遊技状態（通常状態）となる大当り（通常大当り）が発生するまで継続し、その後は所定数（例えば１００回）の図柄変動を行うまで時短状態となる。
（５）第２始動口１８は普図入賞口１６への入賞に応じて変動する普通図柄（普図）が当りとなった場合に入賞率の高い開放状態となる。この場合、普図１回の変動時間は通常状態では３０秒であり時短状態では３秒となる。又、開放時間は通常状態では０．３秒であり時短状態では５秒となる。即ち、時短状態では通常状態と比較して普図変動時間が短くなる一方、開放時間は長くなることで第２始動口１８の入賞率が高くなる。
【００２５】
遊技機１及び当該遊技機１に付設された周辺機器は、遊技者による玉の打込みや各始動口１７、１８への始動入賞等の遊技の進行に伴って、以下に示す遊技信号を送信する。
アウト信号＝消費玉を回収するアウトＢＯＸから送信される消費価値（アウト）を特定可能な信号（稼動信号）である。消費（使用、打込、回収）玉１０玉に対して１パルスが送信されるので、「アウト信号数×１０」をアウトとして特定する。尚、遊技機１から送信される信号でも良い。
セーフ信号＝遊技機１から送信される入賞付与価値（セーフ）を特定可能な信号（稼動信号）である。払出（付与）玉１０玉に対して１パルスが送信されるので、「セーフ信号数×１０」をセーフとして特定する。尚、補給装置から送信される補給信号をセーフ信号としても良い。
【００２６】
始動信号＝遊技機１から送信される始動入賞により変動（作動）する液晶表示部１５（役物）におけるスタート処理（図柄変動、役物作動、単位遊技）を特定可能な信号（稼動信号）である。図柄変動確定時に送信されるので、始動信号の受信に応じてスタート処理を特定し、「始動信号×１」をスタート（スタート処理数）として特定する。尚、始動入賞を示す信号としても良い。
大当り信号＝遊技機１から送信される大当り期間を特定可能な信号（稼動信号）である。大当り中にレベル送信される状態信号であるので、大当り信号の受信中を大当り中として特定する。
【００２７】
特別状態信号＝遊技機１から送信される特別状態（甘中）を特定可能な信号（稼動信号）である。第２始動口１８の入賞率が向上する特別状態中（時短中）にレベル送信される状態信号であるので、特別状態信号の受信中を特別状態中として特定する。尚、大当り確率が向上する確変中にレベル送信される状態信号（確変信号）であっても良い。又、大当り信号と特別状態信号の何れも受信していない期間を通常状態として特定する。
扉開放信号＝遊技機１から送信される当該遊技機１のガラス扉（図示せず）を開放した回数を特定可能な異常検出信号（異常状態を特定可能な信号）である。盤面１１の前方のガラス扉が開放状態である場合に送信される状態信号である。尚、他に基板が交換されたことを検出した場合に送信される基板交換信号等の他の異常検出信号も送信され、検知対象となる。
【００２８】
遊技装置２は、所謂各台計数機能付の貸出機であり、遊技装置２の状態を示す状態表示部２０、貨幣が投入される貨幣投入口２１、遊技者からの操作入力を受け付けると共に遊技の進行に伴って図柄変動回数（スタート回数）や大当り確率等の遊技データを表示するタッチパネル式の液晶表示部２２、持玉及び貯玉を払い出す（払い戻す）ための払出釦２３、払い出された玉が通過するノズル２４、カードが挿入されるカード挿入口２５、遊技機１の下部受皿１４の下方に位置する着脱可能な計数受皿２６等を有する。
【００２９】
遊技装置２は、以下に示す機能を備えている。
（１）貨幣が貨幣投入口２１に投入されたことで、貨幣を受け付けると（貨幣価値を受け付ける受付処理を行うと）、遊技機１と遊技装置２との双方において入金額を残高に加算して表示する。残高がある状態で遊技機１の貸出釦（図示せず）が押下されると（貸出操作、付与操作が行われると）、１回の貸出単位分（例えば５００円）の貸出玉（遊技機付与単位）を遊技機１の払出機構や遊技装置２の払出機構から払い出し、その対価分を残高から減算すると共に、貸出信号（売上信号）を送信する（貸出処理を行う）。尚、貨幣は複数回分の付与処理の対応分を受付可能である（例えば１万円まで）。
【００３０】
（２）遊技機１の下部受皿１４が操作された（開放された）ことで、下部受皿１４から落下した玉を計数受皿２６で受けると（獲得価値を受け付ける受付処理を行うと）、その受けた玉を計数して持玉（計数玉）として液晶表示部２２に表示する。持玉がある状態で遊技装置２の払出釦２３が押下されると（払戻操作、付与操作が行われると）、１回の払戻単位分の払戻玉（遊技機付与単位）を遊技機１の払出機構や遊技装置２の払出機構から払い出し、その対価分（払出分と同数）を持玉から減算すると共に、払戻信号を送信する（払戻処理を行う）。
【００３１】
（３）残高又は持玉がある状態で遊技機１の返却釦（図示せず）が押下されると（発行操作を受け付けると）、残玉や持玉を特定可能なカードを発行する（発行処理を行う）。カードがカード挿入口２５に挿入されている状態で返却釦が操作されたときには、そのカード挿入口２５に挿入されているカードに残高及び持玉の情報を記録して発行し、カードがカード挿入口２５に挿入されていない状態で返却釦が操作されたときには、カードストック部（図示せず）にストックしているカードをカード挿入口２５に繰出して残高や持玉を記録して発行する。カードを発行すると、自装置を特定可能な情報（遊技装置ＩＤ、装置識別情報）、発行したカードを特定可能な情報（カードＩＤ、記録媒体情報）、カードに記録した残高や持玉の情報等を含む発行情報を管理装置６に送信する。尚、残高や持玉の一部を発行対象とする分割発行を可能としても良い。
【００３２】
（４）中継装置４との間でデータ通信（シリアル通信）を行うことで、上記した受付処理、貸出処理、払戻処理、発行処理等の各処理、残高、持玉、貸出玉数、払戻玉数等の値を特定する。これらをパルス信号（例えば入金１０００円毎に１パルス、売上１００円毎に１パルス等）にて特定しても良い。又、貸出玉や払戻玉を払い出す際やカードを発行する際のデータ通信については中継装置４を介さずに遊技機１との間で直接行っても良い。
【００３３】
さて、遊技場においては、上述した［発明が解決しようとする課題］にて記載した通り、遊技場の閉店後において例えば遊技情報を修正するような処理を行う場合に、異常検出を適切に抑制したいというニーズがあった。本発明では、このようなニーズに応えるべく管理装置６は以下に示す機能を有する。
【００３４】
管理装置６は、本発明に関連し、図２に示す開閉店設定を操作入力により設定可能であり、開閉店設定を特定可能な設定情報を中継装置４等に送信して設定する。図２に示す各項目の意味は次の通りである。
開店時刻＝遊技場の開店時刻（異常検出抑制終了時刻、抑制解除条件）である。
閉店時刻＝遊技場の閉店時刻（異常検出抑制開始時刻、抑制移行条件）である。
閉店後検知＝閉店時刻後に異常検出を抑制するか否かであり、「抑制」又は「非抑制」を選択する。即ち、閉店処理条件の成立に応じて抑制移行条件を成立させるか否かであり、「抑制」を選択した場合は、閉店処理条件が成立しなくとも閉店時刻になると抑制移行条件が成立して後述する報知抑制状態となり、「非抑制」を選択した場合は、閉店時刻を経過した場合であっても報知抑制状態とならずに営業中と同様に異常検出を行い、閉店処理条件の成立に応じて報知抑制状態となる。
【００３５】
又、管理装置６は、遊技機１等から遊技信号を中継装置４を介して受信することにより、図３に示すような遊技情報を集計して管理する。図３に示す各項目の意味は次の通りである。
アウト＝アウト信号に基づく遊技機１にて消費された遊技価値（消費価値）である。
セーフ＝セーフ信号に基づく遊技機１から入賞に応じて付与された遊技価値（入賞付与価値）である。
売上玉＝売上信号に基づく対応する遊技装置２にて対価を徴収することにより付与した遊技価値（対価付与価値）である。
理論持玉＝アウト、セーフ等に基づく理論上の遊技者の獲得価値（セーフ＋売上玉−アウト）である。
計数玉＝島端計数機８等の計数機にて計数した遊技者の獲得価値である。実持玉である。
誤差玉＝理論持玉と計数玉との差（セーフ＋売上玉−アウト−計数玉）である。
扉開放回数＝扉開放信号に基づく遊技機１にてガラス扉が開放された回数である。
【００３６】
図３について補足する。図３はパチンコ機を対象とした全遊技機（例えば５００台）の遊技情報の合計であり、図３では省略しているが別途遊技機単位で遊技情報を特定しており、その集計結果となる。この場合、遊技場の営業を開始することに伴い、遊技情報の蓄積を開始したい場合には開店操作を行って開店処理（開店処理条件の成立）を行い、遊技情報の蓄積を開始する。そして、遊技場の営業を終了することに伴い、遊技情報の蓄積を終了したい場合には閉店操作を行って閉店処理（閉店処理条件の成立）を行い、遊技情報の蓄積を終了する。即ち、遊技情報を蓄積する蓄積対象期間は開店処理から閉店処理までとなる。又、例え日を跨いでも閉店操作等が営業日毎に行わなければ複数日分の遊技情報が１営業日分の遊技情報にもなり得る。尚、図３に示す各項目の台平均は集計値を台数にて除した値を示す単なる平均値である。
【００３７】
ここで、周知の通り、理論持玉と計数玉との差である誤差玉は本来であれば「０」となる遊技情報であるので、図３のように誤差玉が発生する場合は、遊技機単位の遊技情報に問題がないかをチェックする等してその要因を追求し、例えばアウトボックスにて玉詰まりや玉零れ等を起こしている等、その要因が分かれば、その要因による遊技情報の不具合を修正する等して遊技情報を適正な値へと修正する場合があり、この場合には閉店操作を行わないことで閉店処理を遅延させる。このとき、その要因を追求して適正化するための調整を行っている間に、無意味な報知が行われることを防止するために異常検出を抑制する。
【００３８】
異常検出としては例えば以下の（ア）から（ウ）に示すような異常検出が想定される。このような異常検出を特定可能な信号が異常検出信号となるので、例えばアウト信号等は遊技情報を特定可能な遊技信号であると共に異常状態を特定可能な遊技信号でもある。
【００３９】
（ア）遊技機１の開放（遊技機１から送信される信号や、遊技島側に設けられる遊技機１の開放を検知するセンサから送信される出力信号等、その開放を特定可能な遊技信号により特定）、遊技機１のガラス扉の開放等の遊技機１側からの検出信号の受信に応じた異常検出。
【００４０】
（イ）アウト点検（第１基準値（例えばセーフであれば３００、スタートであれば１５）分のセーフやスタートを特定したにも関わらず第２基準値（例えば１０）分のアウトを特定できない）、アウト超過点検（設定時間（例えば６０秒）内に第３基準値（例えば１１０）分のアウトを特定できない）、セーフ点検（第４基準値（例えば５００）分のアウトを特定したにも関わらず第５基準値（例えば５０）分のセーフを特定できない）等の遊技情報の特定結果の組み合わせに応じた異常検出。この場合、各基準値は予め設定される。
【００４１】
（ウ）中継装置４の電源を切断すること等、中継装置４の動作確認ができない等の周辺機器の異常検出。
尚、遊技機１の整備や誤差玉の要因の追求に関連しない、例えば遊技機１の基板交換の検出等の異常検出は抑制せずに行うようにしても勿論良い。即ち、抑制する場合の異常検出項目と、抑制しない場合の異常検出項目とをそれぞれ設定するようにしても良く、双方に重複する異常検出項目を設けても勿論良い。
【００４２】
閉店後検知を「抑制」に選択すると、閉店時刻から閉店操作までの期間では、遊技情報の更新は行うが、異常検出は抑制する。又、閉店時刻前に閉店操作が行われた場合、開店操作から閉店操作までの期間以外の期間では遊技情報の集計対象からも異常検出対象からも除外される。ここで、所謂夜間監視も行われるが、これは閉店操作を行い全て又は殆どの遊技場の従業員が退店する際にシステムを夜間監視モードとし、必要最小限の電源を供給しつつ、遊技機１やガラス扉の開放の検出や基板交換等の検出は行う状態であり、別途操作等の条件を要する状態である。
【００４３】
以下は、例えば大晦日などに２４時間以上連続して営業を行う場合に対応した例である。遊技場の中には例えば大晦日の９：００より開店し、翌日となる元旦の２３：００まで（の３８時間）連続して営業を行う特別営業を行う遊技場もあり、この場合、遊技場としては３８時間分を一纏めとした遊技情報として管理したいと考える一方、営業日毎に開店時刻と閉店時刻とを設定する必要があることと、上記のように異常検出を抑制することとを考慮して、以下のような設定及び処理を行う。特別営業の１日目（例えば大晦日）の閉店時刻を２３：５９、２日目（例えば元旦）の開店時刻を００：０１と設定し、閉店時刻により異常検出の抑制を行った場合に、開店処理を行うか否かに関わらず開店時刻を迎えた場合に異常検出の抑制を解除する。この場合、２３：５９〜００：０１までの２分間は異常検出を抑制するが、これ以外の期間では適正に異常検出を行う。この場合、他の遊技情報と同様に２営業日分の異常検出結果が１営業日分として集計されて管理される。尚、上記はシステム上、００：０１〜２３：５９までの期間に限定して開店時刻や閉店時刻を設定するように制限した場合の例であるが、その制限がない場合には、例えば１日目の閉店時刻を２４：００、２日目の開店時刻を００：００とする等、同条件として異常検出を抑制する期間をなくしても勿論良い。開店時刻や閉店時刻は営業中に変更しても良いが、例えば日付や曜日等に対応付けて開店時刻や閉店時刻を予め設定し、その対応する期日となった場合に対応する閉店時刻等に変更する構成としても勿論良い。又、図３は単なる例示であり、特に扉開放回数以外の異常検出に関連する遊技情報は例示していないが、勿論、集計対象としても良く、理論持玉等の例示した遊技情報を必ずしも集計対象とする必要はない。又、当然ではあるが、別途遊技機単位にて集計しているので、何れの遊技機１にて異常が発生したのか、遊技機単位での異常発生回数も特定可能に遊技情報を管理している。
【００４４】
次に、上記した構成の作用について図４を参照して説明する。中継装置４は、本発明に関連し、図４に示す中継装置処理を行う。
中継装置４は、中継装置処理を開始すると、営業中フラグを「０」に設定していると判定し（Ｓ１：ＹＥＳ）、開店操作が行われたか否かを判定する（Ｓ２）（最初の待機フローとなる）。中継装置４は、開店操作が行われたと判定すると（Ｓ２：ＹＥＳ）、それまで蓄積していた遊技情報をクリアし、遊技情報の蓄積を開始し（Ｓ３）、営業中フラグを「１」に設定する（Ｓ４）。そして、中継装置４は、異常検出を開始し（Ｓ５）、異常検出フラグを「１」に設定し（Ｓ６）、中継装置処理を終了してリターンし、次の中継装置処理の開始タイミングを待機する。尚、中継装置４は、最初の待機フロー中（営業状態でない場合）に開店操作が行われずに開店時刻となっても、例えば遊技場の休日等を考慮して遊技情報の蓄積や異常検出を開始しない。
【００４５】
中継装置４は、次の開始タイミングで中継装置処理を開始すると、これよりも前の中継装置処理において営業中フラグ及び異常検出フラグを共に「１」に設定したので、営業中フラグを「０」に設定していないと判定し（Ｓ１：ＮＯ）、閉店操作が行われたか否か判定し（Ｓ７）、閉店操作が行われなければ（Ｓ７：ＮＯ）、異常検出フラグを「０」に設定していないと判定し（Ｓ８：ＮＯ）、閉店時刻になったか否かを判定する（Ｓ９）（通常営業中の待機フローとなる）。
【００４６】
中継装置４は、通常営業中の待機フロー中に閉店操作が行われる前に閉店時刻になったと判定すると（Ｓ９：ＹＥＳ）、異常検出を終了し（Ｓ１０）、異常検出フラグを「０」に設定し（Ｓ１１）、中継装置処理を終了してリターンし、次の中継装置処理の開始タイミングを待機する。
【００４７】
中継装置４は、次のタイミングで中継装置処理を開始すると、閉店操作が行われたか否かを判定し（Ｓ７）、異常検出フラグを「０」に設定したと判定し（Ｓ８：ＹＥＳ）、開店時刻になったか否かを判定する（Ｓ１２）（検知抑制待機のフローとなる）。中継装置４は、通常営業中の待機フロー中、又は検知抑制待機のフロー中、即ち、開店操作が行われてから閉店操作が行われていない状態（営業状態）である場合に閉店操作が行われたと判定すると（Ｓ７：ＹＥＳ）、遊技情報の蓄積を終了し（Ｓ１３）、営業中フラグを「０」に設定する（Ｓ１４）。そして、中継装置４は、検知抑制待機のフロー中であれば、異常検出フラグが「０」であるので（Ｓ１５：ＮＯ）、中継装置処理を終了してリターンし、次の中継装置処理の開始タイミングを待機する（最初の待機フローとなる）一方、通常営業中の待機フローであれば、異常検出フラグが「１」であるので（Ｓ１５：ＹＥＳ）、異常検出を終了し（Ｓ１０）、異常検出フラグを「０」に設定し（Ｓ１１）、中継装置処理を終了してリターンし、次の中継装置処理の開始タイミングを待機する（最初の待機フローとなる）。
【００４８】
ここで、特別営業の場合は営業中に設定上の閉店時刻を迎えることになるので、中継装置４は、営業中であっても検知抑制待機のフローとなる。その後に翌日の開店時刻を迎えると、中継装置４は、開店時刻になったと判定し（Ｓ１２：ＹＥＳ）、異常検出を開始し（Ｓ５）、異常検出フラグを「１」に設定し（Ｓ６）、中継装置処理を終了してリターンし、次の中継装置処理の開始タイミングを待機する。即ち、中継装置４は、開店操作が行われなくとも、閉店時刻を迎え、更に翌日の開店時刻を迎えた場合には通常営業中の待機フローとなる。このように、営業状態（蓄積対象期間中）でなければ、開店操作（開店処理条件、及び第１抑制解除条件が成立すること）に応じて報知抑制状態を解除するが、開店時刻となる（第２抑制解除条件が成立する）だけでは報知抑制状態を解除せず、営業状態であれば、開店処理条件が成立しなくとも第２抑制解除条件が成立するだけで報知抑制状態を解除する。尚、１日目の閉店時刻と２日目の開店時刻とを同時刻とした場合であっても同じように処理すれば良いが、同時刻（同条件）であることを条件として検知抑制待機フロー、即ち、検知抑制状態を回避しても良い。
【００４９】
尚、中継装置４は、異常を特定すると、その旨を特定可能な異常情報を遊技装置２、情報表示装置３及び管理装置６に送信する。管理装置６は、中継装置４から異常情報を受信すると、その異常情報により特定される異常の内容を報知し、例えば図３のように扉開放回数を計数したり、店内放送を行ったり、モニタ画面上での報知を行ったり、異常履歴にその旨を記憶したりする異常報知処理を行う。又、異常報知処理の抑制は、回数の計数対象から除外する等、上記した何れかを行わなかったり、中継装置４による検知自体を行わなかったり、異常情報を送信しなかったり、特定の異常検出を検出対象から除外したり、検出に関わる基準値を検出し難い数値としたりする等、周知のどのような抑制方法を採用しても良い。
【００５０】
以上に説明したように本実施形態によれば、次に示す効果を得ることができる。
管理装置６において、閉店操作を行う（閉店処理条件が成立する）ことなく異常報知処理の抑制が開始される（抑制移行条件が成立する）ように、抑制移行条件（閉店時刻となること）を設定することで、閉店終了後に例えば理論持玉と計数玉との差である誤差玉がなくなるように玉の詰まり等の要因を解消して遊技情報を修正するような情報修正処理を行う場合であっても無暗な異常報知が行われる虞を軽減することができる。
【００５１】
又、遊技場の中には上記した情報修正処理を行わない遊技場もあり、閉店処理条件とは別途抑制移行条件を管理することを鬱陶しく感じる虞や、条件の設定し忘れ等により何らかの支障が生ずる虞もあるが、閉店時刻を経過した場合であっても抑制移行条件が成立せずに営業中と同様に異常検出を行い、閉店処理条件が成立することで抑制移行条件が成立して異常検出を抑制するように設定することで、そのような虞を軽減することができ、遊技場の様々なニーズに対応することができる。
【００５２】
又、複数日に跨って継続して営業する特別営業を行う場合に、特別営業における１日日には閉店処理条件が成立せず、その２日目には開店処理条件が成立しないことになるが、開店時刻になると異常検出を再開することで、必要最小限の期間を報知抑制状態として異常検出を再開することができる。又、上記した特別営業を行う場合であっても、複数日分の遊技情報を１営業日の遊技情報として管理することができると共に、このような特別営業に対して通常営業と同様に営業日単位で抑制移行条件と抑制解除条件とを設定したとしても適切に対応することができる。
【００５３】
本発明は、上記した実施形態にのみ限定されるものではなく、以下のように変形又は拡張することができる。
蓄積対象期間の開始時期の特定として開店処理により遊技情報をクリアすることを例示したが、他に例えば前日以前から累積して遊技情報を集計し、開始時期と終了時期とを特定して、その差分の遊技情報を蓄積対象とする等、どのような特定方法を採用しても良い。このように開始時期や終了時期を特定すれば時刻の特定や遊技情報のクリア等を必ずしも行う必要はない。
【００５４】
開店処理条件や閉店処理条件として開店処理等の操作に応じて成立する条件を例示したが、他に別途設定される蓄積開始時刻になることや、初めて貨幣受付処理を行った、又は特定の遊技情報を特定した等により成立する条件を開店処理条件としたり、別途設定される蓄積終了時刻となったことや閉店時刻後に所定期間遊技信号を入力しないこと等により成立する条件を閉店処理条件としたりしても良い。同様に抑制移行条件や抑制解除条件等もどのような条件を採用しても良い。
【００５５】
開店操作が行われてから開店時刻となるまでの期間においても開店前の最終の遊技機の整備等を考慮して異常検出が抑制するようにしても良い。この場合、開店時刻の少し前（例えば５分前）から異常検出を開始しても良い。
例示した設定値は予め設定されれば、遊技場管理者が任意に設定しても、管理装置の製造メーカにて設定しても、外部（例えばチェーン店本部等）の管理サーバから設定情報をダウンロードして設定しても良い。
適正な値へと修正する遊技情報として誤差玉を例示したが、例えばアウトに対するスタート割合や所謂出率等も、アウトボックスの玉零れや、遊技信号の出力不良等により十分に異常となり得る遊技情報であり、どのような遊技情報を適正値とするために閉店処理を遅延させても良い。
【００５６】
例示した全ての遊技情報は入力した信号により直接的に特定しても演算式を利用する等して間接的に特定しても良い。又、数値、桁数、項目等は例示であり、どのような数値を採用しても良い。更に以上か超過かの判定や以下か未満かの判定は例示していない箇所も含めて何れを採用しても良い。
対象となる遊技機は遊技媒体をデータのみで管理する所謂封入式等の例示したパチンコ機以外のパチンコ機やスロットマシン等も採用できる。尚、所謂封入式等を考慮して遊技媒体は必要に応じて遊技価値と表現する。又、封入式等の場合、有価価値を遊技に消費可能とする状態とすることが遊技に使用可能な遊技価値を付与する対価付与処理となる。
異常であるか否かの判定を中継装置にて行うことを例示したが、管理装置等で行っても良く、例示した処理を必ずしも特定の装置のみで行う必要はない。又、変形例を含む例示した構成をどのように組み合わせても良いし、適宜採用しなくとも良い。
【符号の説明】
【００５７】
図面中、１は遊技機、３は情報表示装置（異常報知手段、抑制手段）、６は管理装置（遊技情報特定手段、異常報知手段、遊技情報蓄積手段、抑制手段、設定手段）である。
【図１】
0006426954.tif 000002
【図２】
0006426954.tif 000003
【図３】
0006426954.tif 000004
【図４】
0006426954.tif 000005